(57)【特許請求の範囲】
【請求項１】
放送波を受信する放送受信装置であって、データ伝送回路を備えており、このデータ伝送回路は、第１の電源回路にサブＣＰＵが接続され、このサブＣＰＵによって第２の電源回路のオン／オフが制御され、この第２の電源回路に接続されたメインＣＰＵと前記サブＣＰＵとの間でデータ伝送を行うデータ伝送回路であって、第１の電源回路の瞬停を判定する手段を有し、瞬停の場合にはサブＣＰＵはメインＣＰＵにおけるパワーオンの理由が瞬停であることをメインＣＰＵに通知することを特徴とする放送受信装置。
【請求項２】
請求項１に記載の放送受信装置において、前記サブＣＰＵは自身の状態と前記メインＣＰＵからのパワーオン通知とに基づいて第２の電源回路側での瞬停を判定し、瞬停の場合にはサブＣＰＵはメインＣＰＵにおけるパワーオンの理由が瞬停であることをメインＣＰＵに通知するように構成されたことを特徴とする放送受信装置。
【請求項３】
請求項１又は請求項２に記載の放送受信装置において前記メインＣＰＵは瞬停通知を受けた場合にはラストチャンネル受信処理を実行し、通常パワーオンを示す通知を受けた場合にはイニシャルチャンネル受信処理を実行するように構成されたことを特徴とする放送受信装置。
【請求項４】
請求項３に記載の放送受信装置であって、アナログ放送波を受信するアナログ放送受信部と、ディジタル放送波を受信するディジタル放送受信部とを備え、サブＣＰＵはユーザ操作による指令信号のメインＣＰＵへの伝送と前記アナログ放送受信部の制御とメインＣＰＵを含む他の回路への給電を行う電源回路のオン／オフ制御とを行い、メインＣＰＵは少なくとも前記ディジタル放送受信部の制御を行うように構成されたことを特徴とする放送受信装置。
【発明の詳細な説明】
【０００１】
この発明は、データ伝送回路を備えた放送受信装置に関する。
【０００２】
【従来の技術】
衛星や地上波を用いたディジタル放送を受信する放送受信装置は、専用のアンテナや地上波用アンテナを通して受け取った複数の放送波のなかから任意の放送波をディジタルチューナによって選択し、この選択した放送波に含まれる複数のチャンネルのなかから任意のチャンネル（トランスポートストリーム）をデマルチプレクス処理によって選択し、この選択したチャンネルのディジタル信号を取り出し、これをデコードすることによって映像・音声信号を出力する。
【０００３】
そして、このようなディジタルテレビ放送を受信するディジタルチューナと共に、従来からのアナログ放送を受信するアナログチューナも備えたディジタル・アナログ対応の放送受信装置を構成することができる。
【０００４】
このようなディジタル・アナログ対応の放送受信装置では、サブＣＰＵへの給電を行う第１の電源回路及びメインＣＰＵを含む他の回路への給電を行う第２の電源回路を備え、スタンバイ時には第２の電源回路による各回路への給電は行わずにサブＣＰＵがパワーオンキーの入力監視を行い、このパワーオンキーの入力をサブＣＰＵが検出すると、前記第２の電源回路オン及びメインＣＰＵの起動を行い、その後（パワーオン後）にはメインＣＰＵによってサブＣＰＵを含む各種回路が制御され、この制御の下でサブＣＰＵはアナログ放送受信部の制御を行うようにしたものがある。
【０００５】
そして、かかる受信装置が例えばホテル向け仕様とされる場合、通常のパワーオン時には或る指定のチャンネル（イニシャルチャンネル）を映し出すように設定されるが、瞬停が生じたために今見ていたチャンネルが前記イニシャルチャンネルに変わってしまうのでは不都合である。すなわち、瞬停の場合には、いわゆるラストチャンネルが映し出されるべきであり、通常のパワーオン時にはイニシャルチャンネルが映し出されなければならない。
【０００６】
【発明が解決しようとする課題】
サブＣＰＵ及びメインＣＰＵがそれぞれ瞬停の判定機能を持っていれば、第１の電源回路に接続されているサブＣＰＵは、第１の電源回路に対して、その立ち上がりが通常のパワーオンによるものなのか、あるいは瞬停によるものなのかが分かるし、第２の電源回路に接続されているメインＣＰＵは、第２の電源回路に対して、その立ち上がりが通常のパワーオンによるものなのか、あるいは瞬停によるものなのかが分かる。しかしながら、この場合でもサブＣＰＵは、第２の電源回路に瞬停があったかどうかは分からない。また、サブＣＰＵが第２の電源回路のオン／オフを制御する場合は、瞬停があると、第１の電源回路が立ち上がって、サブＣＰＵが瞬停と判定してから第２の電源回路をオンするため、第２の電源回路がオンしてからメインＣＰＵが瞬停かどうかを判定する迄に時間が経ち、第２の電源回路側では瞬停を判定できずに通常のパワーオンと判定することがある。すなわち、２つのＣＰＵでそれぞれ瞬停を判定すると、一方は瞬停で他方は正常パワーオンと判定してしまうことがある。
【０００７】
この発明は、上記の事情に鑑み、瞬停による不具合発生を防止することができる放送受信装置を提供することを目的とする。
【０００８】
【課題を解決するための手段】
この発明の放送受信装置は、放送波を受信する放送受信装置であって、データ伝送回路を備えており、このデータ伝送回路は、第１の電源回路にサブＣＰＵが接続され、このサブＣＰＵによって第２の電源回路のオン／オフが制御され、この第２の電源回路に接続されたメインＣＰＵと前記サブＣＰＵとの間でデータ伝送を行うデータ伝送回路であって、第１の電源回路の瞬停を判定する手段を有し、瞬停の場合にはサブＣＰＵはメインＣＰＵにおけるパワーオンの理由が瞬停であることをメインＣＰＵに通知することを特徴とする。
【０００９】
上記構成において、第２の電源回路のオン／オフを制御するサブＣＰＵは第１の電源回路から給電を受けており、第１の電源回路で瞬停が生じると第２の電源回路でも瞬停が生じることになるが、瞬停の場合にはサブＣＰＵはメインＣＰＵにおけるパワーオンの理由が瞬停であることをメインＣＰＵに通知するので、メインＣＰＵにおいて通常のパワーオン時用の処理を行ってしまう事態を回避することができ、瞬停による不具合発生が防止される。
【００１０】
前記サブＣＰＵは自身の状態と前記メインＣＰＵからのパワーオン通知とに基づいて第２の電源回路側での瞬停を判定し、瞬停の場合にはサブＣＰＵはメインＣＰＵにおけるパワーオンの理由が瞬停であることをメインＣＰＵに通知するように構成されているのがよい。かかる構成であれば、第２の電源回路側でのみ瞬停が生じたことをサブＣＰＵ側で知得し、サブＣＰＵはメインＣＰＵにおけるパワーオンの理由が瞬停であることをメインＣＰＵに通知するので、メインＣＰＵにおいて通常のパワーオン時に行う処理を行ってしまう事態が回避され、瞬停による不具合発生が防止される。
【００１１】
また、上記放送受信装置において、前記メインＣＰＵは瞬停通知を受けた場合にはラストチャンネル受信処理を実行し、通常パワーオンを示す通知を受けた場合にはイニシャルチャンネル受信処理を実行するように構成されていてもよい。また、かかる放送受信装置において、アナログ放送波を受信するアナログ放送受信部と、ディジタル放送波を受信するディジタル放送受信部とを備え、サブＣＰＵはユーザ操作による指令信号のメインＣＰＵへの伝送と前記アナログ放送受信部の制御とメインＣＰＵを含む他の回路への給電を行う電源回路のオン／オフ制御とを行い、メインＣＰＵは少なくとも前記ディジタル放送受信部の制御を行うように構成されていてもよい。
【００１２】
【発明の実施の形態】
以下、この発明の実施形態を図１及び図２に基づいて説明する。図１は地上波ディジタル放送及び地上波アナログ放送の両方を視聴できるこの実施形態の放送受信装置３０を示したブロック図である。
【００１３】
アンテナ１Ａ・１Ｂは、屋外において所定の方向に向けて配置されており、地上波放送局から送られてくる地上放送波を受信する。
【００１４】
ディジタルモジュール２は、映像・音声データを含む高周波ディジタル変調信号のうちから特定周波数の信号を取り出す。また、ディジタルモジュール２は、逆インタリーブ回路、誤り訂正回路などを備えることにより、選択したディジタル変調信号を復調してトランスポートストリームを出力する。また、ディジタルモジュール２のデマルチプレクサは、前記トランスポートストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分離復号する。デマルチプレクサは、ビデオストリームとオーディオストリームをデコーダに供給し、ＰＳＩ／ＳＩに含まれるサービス情報（番組名、番組詳細等）をメインＣＰＵ３に供給する。デコーダは、ビデオストリームのデコードを行うビデオデコーダ、及びオーディオストリームのデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。デコードにより生成された映像信号（コンポジット信号、Ｙ／Ｃ信号、コンポーネント信号等）は信号切替スイッチ４に供給される。ディジタルモジュール２のＯＳＤ（オンスクリーンディスプレイ）回路は、メインＣＰＵ３から出力指示された文字情報に基づくビットマップデータを受信映像データに組み込む回路であり、このＯＳＤ回路により、サービス情報に基づくＥＰＧ（Ｅｌｅｃｔｒｏｎｉｃ  Ｐｒｏｇｒａｍ  Ｇｕｉｄｅ）画面表示が実現される他、メニュー画面や操作ガイド画面などの表示も行えることになる。
【００１５】
信号切替スイッチ４は、ディジタルモジュール２から出力される映像／音声信号と、アナログモジュール６から出力される映像／音声信号とを受け取り、メインＣＰＵ３の切替指示に従って、いずれか一方の信号をモニタ５に出力する。
【００１６】
アナログモジュール６は、ユーザーが選択したチャンネルに対応する周波数の信号を選択する選局処理、及び選択した周波数の信号を復調する処理等を行ってアナログ映像信号（コンポジット信号、Ｙ／Ｃ信号、コンポーネント信号等）及びアナログ音声信号を生成する。
【００１７】
メインＣＰＵ３は、ディジタルモジュール２に対する選局指令や有局チャンネルサーチ等の制御、メモリ（ＥＥＰＲＯＭ等）７への有局チャンネル情報やＯＳＤ表示用データの書込／読出の制御、デマルチプレクサに対する制御、デコーダに対する制御、ＯＳＤ回路に対する制御、信号切替スイッチ４に対する切換指令、後述するサブＣＰＵ８との間での通信などを行うようになっている。
【００１８】
リモコン送信機９は、当該放送受信装置３０に指令を送出するための送信機である。このリモコン送信機９に設けられた図示しないキーを操作すると、そのキーに対応した指令を意味する信号光（リモコン信号）が図示しない発光部から送出される。図示しないリモコン受光器は、前記信号光を受光し、これを電気信号に変換してサブＣＰＵ８に与える。
【００１９】
サブＣＰＵ８は、上記リモコン送信機９によるリモートコントロール信号や図示しない本体操作部のキー操作による信号を入力してメインＣＰＵ３に通知する処理や、アナログモジュール６に対する制御を行う。
【００２０】
サブＣＰＵ８は第１の電源回路１１から電力供給を受ける。メインＣＰＵ３などの他の回路は、第２の電源回路１２から電力供給を受ける。第１の電源回路１１は受信装置３０のプラグ（図示せず）が商用電源のコンセントに挿入されるとサブＣＰＵ８への電力供給を開始し、これによって受信装置３０はスタンバイ状態になる。このスタンバイ状態では、サブＣＰＵ８はリモコン送信機９等のパワーキーが押されるのを待つ。そして、このスタンバイ状態でパワーキーが押されたとき、サブＣＰＵ８は第２の電源回路１２に対して電源オンの操作（指令）を行う。第２の電源回路１２は、これに接続されている各回路に電力を供給し、受信装置３０はパワーオン状態（テレビＯＮ状態）になる。このとき、メインＣＰＵ３も第２の電源回路１２から電力供給を受けることになる。そして、サブＣＰＵ８はメインＣＰＵ３に対して、パワーオンしたことを知らせるため、メインＣＰＵのリセットを解除する。
【００２１】
サブＣＰＵ８はリモコン送信機９のキーや本体キーの入力操作を監視し、入力操作が行われたときには、その情報をメインＣＰＵ３に伝送する。そして、この情報（内容）がディジタル放送に関するものならば、メインＣＰＵ３自身において処理し、その情報（内容）がアナログ放送に関するものであれば、メインＣＰＵ３がサブＣＰＵ８に対して、アナログ放送選局などの指示を伝送する。また、チャンネル情報のメモリ保存や、アナログ放送を映すのかディジタル放送を映すのかの判断やＯＳＤ表示等はメインＣＰＵ３が行う。
【００２２】
サブＣＰＵ８とメインＣＰＵ３との間の伝送経路は、シリアルクロックとシリアルＩ／Ｏラインの２本の通信ラインでもよいし、シリアルクロックラインとシリアルＩ／Ｏラインが２本の計３本の通信ラインでもよく、具体的構成は問わないものである。
【００２３】
ここで、かかる受信装置３０は例えばホテル向け仕様とされ、パワーオン時には或る指定のチャンネル（イニシャルチャンネル）を映し出すように設定され、瞬停の場合には、いわゆるラストチャンネルが映し出すように構成されている。サブＣＰＵ８（第１の電源回路１１）側では、それ自身の瞬停を判定する手段を備えており、メインＣＰＵ３（第２の電源回路１２）側では、それ自身の瞬停を判定する手段は備えず、後述する手法によってサブＣＰＵ８側で第２の電源回路側で瞬停が生じたか否かを判断する。サブＣＰＵ８（第１の電源回路１１）側で備える瞬停判定手段としては、一般的な瞬停検出回路を用いることとしてもよいし、或いは追加の周辺回路なしで実現するならば、実用新案登録第２，５４５，７６７号に示された構成等を用いることができる。
【００２４】
サブＣＰＵ８はスタンバイ状態でリモコン送信機９のキーや本体キーの入力を待ち、パワーキーが押されたときには第２の電源回路１２をオンする。これにより、メインＣＰＵ３は動作を開始し、サブＣＰＵ８にパワーオンしたことを通知し、この通知に対応してサブＣＰＵ８はパワーオンした理由をメインＣＰＵ３に知らせる。このように瞬停かどうかの判定はサブＣＰＵ８側で行い、メインＣＰＵ３は瞬停かどうかの判定を行わなくて、パワーオンしたことを通知するだけでよい。
【００２５】
図２に本実施例のフローチャートを示す。第１の電源回路１１がオンすると、第１の電源回路１１から電圧の供給を受けたサブＣＰＵ８は、このオンが瞬停によるものであるかどうかを判断する（ステップＳ１）。サブＣＰＵ８が瞬停であると判断した場合にはステップＳ４に進む。一方、サブＣＰＵ８が通常のオンによるものであると判断した場合には、受信装置３０はスタンバイ状態となり（ステップＳ２）、サブＣＰＵ８はリモコン送信機９や本体キーのパワーキーが押下されたかどうかを判断する（ステップＳ３）。サブＣＰＵ８はパワーキーが押下されるまでスタンバイ状態を維持し、パワーキーが押された場合には第２の電源回路１２に対しオン操作を行う（ステップＳ４）。オン操作された第２の電源回路１２によってメインＣＰＵ３などの各回路に電力が供給される。
【００２６】
次に、サブＣＰＵ８はメインＣＰＵ３に与えていたリセット状態を解除する（ステップＳ５）。このリセット解除が行われると、メインＣＰＵ３はサブＣＰＵ８にパワーオンしたことを通知する（ステップＳ６）。そして、サブＣＰＵ８はメインＣＰＵ３に対してパワーオンした理由を通知する（ステップＳ７）。
【００２７】
ここで、第１の電源回路１１に瞬停が生じた場合にはサブＣＰＵ８が瞬停になるのでサブＣＰＵ８に制御される第２の電源回路１２も瞬停となる。勿論、第１の電源回路１１と第２の電源回路１２とが共に同時的に瞬停となる場合もある。一方、第２の電源回路１２だけに瞬停が起こることがある（ステップＳ１１，Ｓ１２）。この場合、第１の電源回路１１及びサブＣＰＵ８は瞬停せずに正常に動作していたわけであり、サブＣＰＵ８は前述したリセット解除の処理を行ったときのメインＣＰＵ３からのパワーオン通知と、このようなリセット解除の処理を行っていないのにメインＣＰＵ３から受け取るパワーオン通知とを区別することができる。瞬停による第２の電源回路１２のオン（ステップＳ１２）の後にメインＣＰＵ３はサブＣＰＵ８にパワーオンしたことを通知してくるため（ステップＳ１２を経たステップＳ６）、この通知によりサブＣＰＵ８は第２の電源回路１２で瞬停が生じたことを判断できる。この場合におけるメインＣＰＵ３へのパワーオンの理由通知（ステップＳ７）は、瞬停となる。勿論、ステップＳ１でＹＥＳと判定された場合も、メインＣＰＵ３へのパワーオンの理由通知（ステップＳ７）は、瞬停となる。
【００２８】
メインＣＰＵ３は、この理由通知によりパワーオンが瞬停によるものであるのかどうかを知り（ステップＳ８）、瞬停である場合にはラストＣＨを選択する処理を行い（ステップＳ９）、パワーオンが通常のパワーオンによるものである場合には（ステップＳ８でＮＯ）、メインＣＰＵはイニシャルＣＨを選択する処理を行う（ステップＳ１０）。なお、ステップＳ９及びステップＳ１０において、ラストＣＨ又はイニシャルＣＨがディジタル放送であるならばメインＣＰＵ３が選局処理を行い、サブＣＰＵ８にディジタル放送受信中であることを通知する。アナログ放送である場合には、メインＣＰＵ３はサブＣＰＵ８に対して選局指示を送出することになる。
【００２９】
このように、瞬停の場合にはサブＣＰＵ８はメインＣＰＵ３におけるパワーオンの理由が瞬停であることをメインＣＰＵ３に通知するので、メインＣＰＵ３において通常のパワーオン時用の処理を行ってしまう事態を回避することができ、瞬停による不具合発生が防止されることになる。なお、上述した例では、瞬停等に起因するチャンネル選択の不具合を防止できる放送受信装置を示したが、このような放送受信装置に限らず、他の装置においてこの発明のデータ伝送回路を利用することが可能である。
【００３０】
【発明の効果】
以上説明したように、この発明によれば、瞬停の場合にはサブＣＰＵはメインＣＰＵにおけるパワーオンの理由が瞬停であることをメインＣＰＵに通知するので、メインＣＰＵにおいて通常のパワーオン時用の処理を行ってしまう事態を回避することができ、瞬停による不具合発生が防止される。
【図面の簡単な説明】
【図１】この発明の実施形態の放送受信装置を示すブロック図である。
【図２】処理内容を示したフローチャートである。
【符号の説明】
２    ディジタルモジュール
３    メインＣＰＵ
６    アナログモジュール
８    サブＣＰＵ
１１  第１の電源回路
１２  第２の電源回路
【図１】
0004082927.tif 000002
【図２】
0004082927.tif 000003